【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
炎症計測装置は、
生体から試料を採取する採取手段と、
前記採取された試料を観察または計測する顕微鏡手段と、 
前記顕微鏡手段にて観察または計測された炎症性細胞である白血球において、過去、現在、未来のいづれかまたはその組み合わせでの白血球を定量または定性計測するためのタイムスケール手段、
とを備える事を特徴とする炎症計測装置。
【請求項２】
炎症計測装置は、
生体から試料を採取する採取手段と、
前記採取された試料に水を添加する水添加手段と、 
前記採取された試料を観察または計測する顕微鏡手段と、 
前記顕微鏡手段にて観察または計測された炎症性細胞である白血球において、過去、現在、未来のいづれかまたはその組み合わせでの白血球を定量または定性計測するためのタイムスケール手段、
とを備える事を特徴とする炎症計測装置。
【請求項３】
請求項１また請求項２における炎症計測装置は、
前記タイムスケールにより分類された新旧白血球の相対的数により炎症の定量ができる
事を特徴とする炎症計測装置。
【請求項４】
請求項１から請求項３におけるいづれかの炎症計測装置の顕微鏡手段は、
定量化、規格化、位相差のいづれかまたはその組み合わせの顕微鏡手段である事を特徴とする炎症計測装置。
【請求項５】
請求項１から請求項４における炎症計測装置における採取手段は、
採取定量手段であることを特徴とする炎症計測装置。
【請求項６】
請求項１から請求項５における炎症計測装置は、
浸潤口より
歯周ポケット（内）へ遊走（分泌）する新好中球の遊走速度（分泌速度）であるNvax(t)
値を求めるNvax手段、
歯周ポケット（内）へ遊走（分泌）する新好中球の遊走個数（分泌個数）であるRefNx(t)値を求めるRefNx手段手段、
浸潤口から
歯周ポケット（内）への新好中球数であるNpocx(t)値を求めるNpocx手段、
歯周ポケット（内）への旧好中球数であるOpocx(t)値を求めるOpocx手段、
旧好中球または新好中球の劣化時定数によるタイムスケール手段、
旧好中球の生成速度であるOvax(t)値を求めるOvax手段、
旧好中球の生成個数であるRefOx(t)値を求めるRefOx手段、
RefNx手段のオプションであるa因子手段、b因子手段、c因子手段、
ポケット容量PoCap手段、
のいづれかまたはその組み合わせを備える事を特徴とする炎症計測装置。
【請求項７】
請求項１から請求項６における炎症計測装置は、
前記タイムスケールにより白血球の速度を求め、歯周炎の有無、経過を予測診断、
白血球クラスターの観察、
診断フローチャート
のいづれかまたはその組み合わせによる歯周炎診断手段
を備えることを特徴とする炎症計測装置。
【手続補正２】
【補正対象書類名】明細書
【補正対象項目名】０００４
【補正方法】変更
【補正の内容】
【０００４】
１〔請求項１の手段〕
請求項１の炎症計測装置は、
生体から試料を採取する採取手段と、
前記採取された試料を観察または計測する顕微鏡手段と、 
前記顕微鏡手段にて観察または計測された炎症性細胞である白血球において、過去、現在、未来のいづれかまたはその組み合わせでの白血球を定量または定性計測するためのタイムスケール手段、
とを備える事を特徴とする。
２〔請求項２の手段〕
請求項２の炎症計測装置は、
生体から試料を採取する採取手段と、
前記採取された試料に水を添加する水添加手段と、 
前記採取された試料を観察または計測する顕微鏡手段と、 
前記顕微鏡手段にて観察または計測された炎症性細胞である白血球において、過去、現在、未来での白血球を定量または定性計測するためのタイムスケール手段、
とを備える事を特徴とする。
３〔請求項３の手段〕
請求項３の炎症計測装置は、
前記タイムスケールにより分類された新旧白血球の相対的数により炎症の定量ができる
事を特徴とする。
４〔請求項４の手段〕
請求項１から請求項３におけるいづれかの炎症計測装置の顕微鏡手段は、
定量化、規格化、位相差のいづれかいづれかまたはその組み合わせの顕微鏡手段である事を特徴とする。
５〔請求項５の手段〕
請求項１から請求項４における炎症計測装置における採取手段は、
採取定量手段であることを特徴とする。
６〔請求項６の手段〕
請求項１から請求項５における炎症計測装置は、
浸潤口より
歯周ポケット（内）へ遊走（分泌）する新好中球の遊走速度（分泌速度）であるNvax(t)
値を求めるNvax手段、
歯周ポケット（内）へ遊走（分泌）する新好中球の遊走個数（分泌個数）であるRefNx(t)値を求めるRefNx手段手段、
浸潤口から
歯周ポケット（内）への新好中球数であるNpocx(t)値を求めるNpocx手段、
歯周ポケット（内）への旧好中球数であるOpocx(t)値を求めるOpocx手段、
旧好中球または新好中球の劣化時定数によるタイムスケール手段、
旧好中球の生成速度であるOvax(t)値を求めるOvax手段、
旧好中球の生成個数であるRefOx(t)値を求めるRefOx手段、
RefNx手段のオプションであるa因子手段、b因子手段、c因子手段、
ポケット容量PoCap手段、
のいづれかまたはその組み合わせを備える事を特徴とする。
７〔請求項７の手段〕
請求項１から請求項６における炎症計測装置は、
前記タイムスケールにより白血球の速度を求め、歯周炎の有無、経過を予測診断、
白血球クラスターの観察、
診断フローチャート
のいづれかまたはその組み合わせによる歯周炎診断手段
を備えることを特徴とする。
【手続補正３】
【補正対象書類名】明細書
【補正対象項目名】０００５
【補正方法】変更
【補正の内容】
【０００５】
１〔請求項１の作用および効果〕
請求項１の炎症計測装置は、
生体から試料を採取する採取手段と、
前記採取された試料を観察または計測する顕微鏡手段と、 
前記顕微鏡手段にて観察または計測された炎症性細胞である白血球において、過去、現在、未来のいづれかまたはその組み合わせでの白血球を定量または定性計測するためのタイムスケール手段、
とを備える事を特徴とするので、
時空間誤差がないなど炎症を正確に計測できる。
２〔請求項２の作用および効果〕
請求項２の炎症計測装置は、
生体から試料を採取する採取手段と、
前記採取された試料に水を添加する水添加手段と、 
前記採取された試料を観察または計測する顕微鏡手段と、 
前記顕微鏡手段にて観察または計測された炎症性細胞である白血球において、過去、現在、未来での白血球を定量または定性計測するためのタイムスケール手段、
とを備える事を特徴とするので、
時空間誤差がないなど炎症を正確に計測できる。
３〔請求項３の作用および効果〕
請求項３の炎症計測装置は、
前記タイムスケールにより分類された新旧白血球の相対的数により炎症の定量ができる
事を特徴とするので、
炎症を正確に計測できるので、
時空間誤差がない、または少なく、正確に炎症を計測できる。
４〔請求項４の作用および効果〕
請求項１から請求項３におけるいづれかの炎症計測装置の顕微鏡手段は、
定量化、規格化、位相差のいづれかいづれかまたはその組み合わせの顕微鏡手段である事を特徴とするので、
定量でき、いつだれがどこでみても同じ規格にて、位相差画像にて炎症性細胞などの病理組織を観察できる。
５〔請求項５の作用および効果〕
請求項１から請求項４における炎症計測装置における採取手段は、
採取定量手段であることを特徴とするので、
定量化されたサンプリングが可能である。
６〔請求項６の作用および効果〕
請求項１から請求項５における炎症計測装置は、
浸潤口より
歯周ポケット（内）へ遊走（分泌）する新好中球の遊走速度（分泌速度）であるNvax(t)
値を求めるNvax手段、
歯周ポケット（内）へ遊走（分泌）する新好中球の遊走個数（分泌個数）であるRefNx(t)値を求めるRefNx手段手段、
浸潤口から
歯周ポケット（内）への新好中球数であるNpocx(t)値を求めるNpocx手段、
歯周ポケット（内）への旧好中球数であるOpocx(t)値を求めるOpocx手段、
旧好中球または新好中球の劣化時定数によるタイムスケール手段、
旧好中球の生成速度であるOvax(t)値を求めるOvax手段、
旧好中球の生成個数であるRefOx(t)値を求めるRefOx手段、
RefNx手段のオプションであるa因子手段、b因子手段、c因子手段、
ポケット容量PoCap手段、
のいづれかまたはその組み合わせを備える事を特徴とするので、
歯周炎を正確に計測、診断できる。
７〔請求項７の作用および効果〕
請求項１から請求項６における炎症計測装置は、
前記タイムスケールにより白血球の速度を求め、歯周炎の有無、経過を予測診断、
白血球クラスターの観察、
診断フローチャート
のいづれかまたはその組み合わせによる歯周炎診断手段
を備えることを特徴とするので
歯周炎を正確に計測、診断できる。
旧請求項の発明の効果
１〔請求項１の作用および効果〕
請求項１の歯周病確定装置は、
歯周ポケット（内）へ遊走（分泌）する新好中球の遊走速度（分泌速度）であるNvax(t)
値を求めるNvax手段を有する事を特徴とするので、
新好中球の歯周ポケット（内）への遊走速度（分泌速度）がわかる。
２〔請求項２の作用および効果〕
請求項２の歯周病確定装置は、
旧好中球の生成速度であるOvax(t)値を求めるOvax手段を有する事を特徴とするので、
旧好中球の生成速度がわかる。
３〔請求項３の作用および効果〕
請求項３の歯周病確定装置は、
歯周ポケット（内）へ遊走（分泌）する新好中球の遊走個数（分泌個数）であるRefNx(t)
値を求めるRefNx手段を有する事を特徴とするので、
新好中球の歯周ポケット（内）への遊走個数（分泌個数）がわかる。
４〔請求項４の作用および効果〕
請求項４の歯周病確定装置は、
旧好中球の生成個数であるRefOx(t)値を求めるRefOx手段を有する事を特徴とするので、
旧好中球の生成個数がわかる。
５〔請求項５の作用および効果〕
請求項５の歯周病確定装置は、
歯周ポケット（内）での新好中球数であるNpocx(t)値を求めるNpocx手段を有する事を特
徴とするので
歯周ポケット（内）での新好中球数がわかる。
６〔請求項６の作用および効果〕
請求項６の歯周病確定装置は、
歯周ポケット（内）での旧好中球数であるOpocx(t)値を求めるOpocx手段を有する事を特
徴とするので
歯周ポケット（内）での旧好中球数がわかる。
７〔請求項７の作用および効果〕
請求項７の歯周病確定装置は、
旧好中球または新好中球の劣化時定数によるタイムスケール手段を有する事を特徴とする
ので
感染などの起きた時間がわかる。
８〔請求項８の作用および効果〕
請求項８のRefNx手段は、
a因子手段、b因子手段、c因子手段を備えることを特徴とするので、抗原因子、防御因子
、サイトカイン因子などがわかる。
９〔請求項９の作用および効果〕
請求項９の歯周病確定装置は、
微生物や生体組織などの観察物の長さ、大きさ、太さ、容量、個数、密度などの定量化が
できる。
１０〔請求項１０の作用および効果〕
請求項１０の歯周病確定装置は、
定量的なサンプリングができるので、定量的な計測ができる。
【手続補正４】
【補正対象書類名】明細書
【補正対象項目名】発明の名称
【補正方法】変更
【補正の内容】
【発明の名称】炎症計測装置